【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
キーワードから抽出される撮影位置に関する撮影位置検索条件及び前記キーワードから連想される連想検索条件とからなる検索条件を、前記キーワード毎にそれぞれ対応付けした参照テーブルを記憶した記憶部と、
画像を表示部に表示させる第一表示手段と、
前記第一表示手段によって表示された画像から前記キーワードを抽出するキーワード抽出部と、
前記キーワード抽出部によって抽出された前記キーワードに対応付けられた検索条件を前記参照テーブルから取得する取得部と、
複数の画像ファイルの中から、前記取得部によって取得された検索条件を満たす画像ファイルを検索する検索部と、
を備えることを特徴とする画像検索装置。
【請求項２】
前記キーワード抽出部は、前記第一表示手段によって表示された画像中の文字を、前記キーワードとして抽出することを特徴とする請求項１記載の画像検索装置。
【請求項３】
更に、前記検索部によって検索された画像ファイルの画像を前記表示部に表示させる第二表示手段を備えることを特徴とする請求項１又は２に記載の画像検索装置。
【請求項４】
前記検索部による検索範囲の前記複数の画像ファイルが、画像であるイメージデータと、撮影された緯度を表す緯度データと、撮影された経度を表す経度データと、撮影された高度を表す高度データと、撮影された時刻を表す撮影時刻データと、を有し、
前記撮影位置検索条件は、緯度に関する緯度検索条件及び経度に関する経度検索条件とからなり、
前記連想検索条件は、高度に関する高度検索条件と、撮影時刻に関する撮影時刻検索条件と、イメージデータに関するイメージデータ検索条件とのうち少なくとも１つを含み、
前記検索部は、前記撮影位置検索条件を満たした緯度データ及び経度データを有し、且つ、前記連想検索条件を満たした高度データ、撮影時刻データ及びイメージデータの少なくとも１つを有する画像ファイルを検索することを特徴とする請求項１乃至３の何れか一項に記載の画像検索装置。
【請求項５】
前記キーワード抽出部によって抽出されたキーワードの数が複数である場合、それらの中から最も文字サイズの大きなキーワードを選択する選択部を更に備え、
前記取得部が、前記キーワード抽出部によって抽出された複数のキーワードのうち前記選択部によって選択されたキーワードに対応付けられた検索条件を前記参照テーブルから取得することを特徴とする請求項１乃至４の何れか一項に記載の画像検索装置。
【請求項６】
複数のキーワードから抽出される撮影位置に関する撮影位置検索条件及び前記キーワードから連想される連想検索条件とからなる検索条件を、前記キーワード毎にそれぞれ対応付けした参照テーブルを記憶した記憶部と、
画像を表示部に表示させる第一表示手段と、
前記第一表示手段によって表示された画像から前記キーワードを抽出するキーワード抽出部と、
前記キーワード抽出部によって抽出された前記キーワードに対応付けられた検索条件を前記参照テーブルから取得する取得部と、
複数の動画ファイルの中から、前記取得部によって取得された検索条件を満たす動画ファイルを検索する検索部と、
を備えることを特徴とする動画検索装置。
【請求項７】
前記キーワード抽出部は、前記第一表示手段によって表示された画像中の文字を、前記キーワードとして抽出することを特徴とする請求項６記載の画像検索装置。
【請求項８】
更に、前記検索部によって検索された動画ファイルの動画を再生して前記表示部に表示させる第二表示手段を備えることを特徴とする請求項６又は７に記載の動画検索装置。
【請求項９】
前記検索部による検索範囲の前記複数の動画ファイルが、動画のストリームデータであるビデオデータと、音声のストリームデータであるオーディオデータと、撮影された緯度を表す緯度データと、撮影された経度を表す経度データと、を有し、
前記撮影位置検索条件は、緯度に関する緯度検索条件及び経度に関する経度検索条件とからなり、
前記連想検索条件は、オーディオに関するオーディオデータ検索条件を含み、
前記検索部は、前記撮影位置検索条件を満たした緯度データ及び経度データを有し、且つ、前記オーディオデータ検索条件を満たしたオーディオデータを有する動画ファイルを検索することを特徴とする請求項６乃至８の何れか一項に記載の動画検索装置。
【請求項１０】
前記キーワード抽出部によって抽出されたキーワードの数が複数である場合、それらの中から最も文字サイズの大きなキーワードを選択する選択部を更に備え、
前記取得部が、前記キーワード抽出部によって抽出された複数のキーワードのうち前記選択部によって選択されたキーワードに対応付けられた検索条件を前記参照テーブルから取得することを特徴とする請求項６乃至９の何れか一項に記載の動画検索装置。
【請求項１１】
コンピュータが、
画像を表示部に表示させる第一表示処理と、
前記第一表示処理によって表示された画像からキーワードを抽出するキーワード抽出処理と、
キーワードから抽出される撮影位置に関する撮影位置検索条件及び前記キーワードから連想される連想検索条件とからなる検索条件を、前記キーワード毎にそれぞれ対応付けした参照テーブルから、前記キーワード抽出処理によって抽出された前記キーワードに対応付けられた検索条件を取得する取得処理と、
複数の画像ファイルの中から、前記取得処理によって取得された検索条件を満たす画像ファイルを検索する検索処理と、
前記検索処理によって検索された画像ファイルの画像を前記表示部に表示させる第二表示処理と、
を実行することを特徴とする画像検索方法。
【請求項１２】
コンピュータが、
画像を表示部に表示させる第一表示処理と、
前記第一表示処理によって表示された画像からキーワードを抽出するキーワード抽出処理と、
キーワードから抽出される撮影位置に関する撮影位置検索条件及び前記キーワードから連想される連想検索条件とからなる検索条件を、前記キーワード毎にそれぞれ対応付けした参照テーブルから、前記キーワード抽出処理によって抽出された前記キーワードに対応付けられた検索条件を取得する取得処理と、
複数の動画ファイルの中から、前記取得処理によって取得された検索条件を満たす動画ファイルを検索する検索処理と、
前記検索処理によって検索された動画ファイルの動画を再生して前記表示部に表示させる第二表示処理と、
を実行することを特徴とする動画検索方法。
【請求項１３】
コンピュータに、
画像を表示部に表示させる第一表示手段と、
前記第一表示手段によって表示された画像からキーワードを抽出するキーワード抽出部と、
キーワードから抽出される撮影位置に関する撮影位置検索条件及び前記キーワードから連想される連想検索条件とからなる検索条件を、前記キーワード毎にそれぞれ対応付けした参照テーブルから、前記キーワード抽出部によって抽出された前記キーワードに対応付けられた検索条件を取得する取得部と、
複数の画像ファイルの中から、前記取得部によって取得された検索条件を満たす画像ファイルを検索する検索部と、
前記検索部によって検索された画像ファイルの画像を前記表示部に表示させる第二表示手段と、
を機能させるプログラム。
【請求項１４】
コンピュータに、
画像を表示部に表示させる第一表示手段と、
前記第一表示手段によって表示された画像からキーワードを抽出するキーワード抽出部と、
キーワードから抽出される撮影位置に関する撮影位置検索条件及び前記キーワードから連想される連想検索条件とからなる検索条件を、前記キーワード毎にそれぞれ対応付けした参照テーブルから、前記キーワード抽出部によって抽出された前記キーワードに対応付けられた検索条件を取得する取得部と、
複数の動画ファイルの中から、前記取得部によって取得された検索条件を満たす動画ファイルを検索する検索部と、
前記検索部によって検索された動画ファイルの動画を再生して前記表示部に表示させる第二表示手段と、
を機能させるプログラム。
【手続補正２】
【補正対象書類名】明細書
【補正対象項目名】０００５
【補正方法】変更
【補正の内容】
【０００５】
以上の課題を解決するための本発明に係る画像検索装置は、
キーワードから抽出される撮影位置に関する撮影位置検索条件及び前記キーワードから連想される連想検索条件とからなる検索条件を、前記キーワード毎にそれぞれ対応付けした参照テーブルを記憶した記憶部と、
画像を表示部に表示させる第一表示手段と、
前記第一表示手段によって表示された画像から前記キーワードを抽出するキーワード抽出部と、
前記キーワード抽出部によって抽出された前記キーワードに対応付けられた検索条件を前記参照テーブルから取得する取得部と、
複数の画像ファイルの中から、前記取得部によって取得された検索条件を満たす画像ファイルを検索する検索部と、
を備えることを特徴とする。
【手続補正３】
【補正対象書類名】明細書
【補正対象項目名】０００６
【補正方法】変更
【補正の内容】
【０００６】
本発明に係る動画検索装置は、
複数のキーワードから抽出される撮影位置に関する撮影位置検索条件及び前記キーワードから連想される連想検索条件とからなる検索条件を、前記キーワード毎にそれぞれ対応付けした参照テーブルを記憶した記憶部と、
画像を表示部に表示させる第一表示手段と、
前記第一表示手段によって表示された画像から前記キーワードを抽出するキーワード抽出部と、
前記キーワード抽出部によって抽出された前記キーワードに対応付けられた検索条件を前記参照テーブルから取得する取得部と、
複数の動画ファイルの中から、前記取得部によって取得された検索条件を満たす動画ファイルを検索する検索部と、
を備えることを特徴とする。
【手続補正４】
【補正対象書類名】明細書
【補正対象項目名】０００７
【補正方法】変更
【補正の内容】
【０００７】
本発明に係る画像検索方法は、コンピュータが、
画像を表示部に表示させる第一表示処理と、
前記第一表示処理によって表示された画像からキーワードを抽出するキーワード抽出処理と、
キーワードから抽出される撮影位置に関する撮影位置検索条件及び前記キーワードから連想される連想検索条件とからなる検索条件を、前記キーワード毎にそれぞれ対応付けした参照テーブルから、前記キーワード抽出処理によって抽出された前記キーワードに対応付けられた検索条件を取得する取得処理と、
複数の画像ファイルの中から、前記取得処理によって取得された検索条件を満たす画像ファイルを検索する検索処理と、
前記検索処理によって検索された画像ファイルの画像を前記表示部に表示させる第二表示処理と、
を実行することを特徴とする。
【手続補正５】
【補正対象書類名】明細書
【補正対象項目名】０００８
【補正方法】変更
【補正の内容】
【０００８】
本発明に係る動画検索方法は、コンピュータが、
画像を表示部に表示させる第一表示処理と、
前記第一表示処理によって表示された画像からキーワードを抽出するキーワード抽出処理と、
キーワードから抽出される撮影位置に関する撮影位置検索条件及び前記キーワードから連想される連想検索条件とからなる検索条件を、前記キーワード毎にそれぞれ対応付けした参照テーブルから、前記キーワード抽出処理によって抽出された前記キーワードに対応付けられた検索条件を取得する取得処理と、
複数の動画ファイルの中から、前記取得処理によって取得された検索条件を満たす動画ファイルを検索する検索処理と、
前記検索処理によって検索された動画ファイルの動画を再生して前記表示部に表示させる第二表示処理と、
を実行することを特徴とする。
【手続補正６】
【補正対象書類名】明細書
【補正対象項目名】０００９
【補正方法】変更
【補正の内容】
【０００９】
本発明に係るプログラムは、コンピュータに、
画像を表示部に表示させる第一表示手段と、
前記第一表示手段によって表示された画像からキーワードを抽出するキーワード抽出部と、
キーワードから抽出される撮影位置に関する撮影位置検索条件及び前記キーワードから連想される連想検索条件とからなる検索条件を、前記キーワード毎にそれぞれ対応付けした参照テーブルから、前記キーワード抽出部によって抽出された前記キーワードに対応付けられた検索条件を取得する取得部と、
複数の画像ファイルの中から、前記取得部によって取得された検索条件を満たす画像ファイルを検索する検索部と、
前記検索部によって検索された画像ファイルの画像を前記表示部に表示させる第二表示手段と、
を機能させることを特徴とする。
【手続補正７】
【補正対象書類名】明細書
【補正対象項目名】００１０
【補正方法】変更
【補正の内容】
【００１０】
本発明に係るプログラムは、コンピュータに、
画像を表示部に表示させる第一表示手段と、
前記第一表示手段によって表示された画像からキーワードを抽出するキーワード抽出部と、
キーワードから抽出される撮影位置に関する撮影位置検索条件及び前記キーワードから連想される連想検索条件とからなる検索条件を、前記キーワード毎にそれぞれ対応付けした参照テーブルから、前記キーワード抽出部によって抽出された前記キーワードに対応付けられた検索条件を取得する取得部と、
複数の動画ファイルの中から、前記取得部によって取得された検索条件を満たす動画ファイルを検索する検索部と、
前記検索部によって検索された動画ファイルの動画を再生して前記表示部に表示させる第二表示手段と、
を機能させることを特徴とする。